(57)【要約】    【課題】  良好な組立性及び良好な耐引抜強度を両立できる電子機器及びその製造方法を提供する。    【解決手段】  筐体７を上部筐体１及び下部筐体２により構成し、上部筐体１の切込１ａ及び下部筐体２の切込２ａにより開口部８を形成する。筐体７の内部にはコネクタ５を収納し、開口部８を介してコネクタ５に外部から接続プラグが接続されるようにする。そして、下部筐体２における切込２ａの下端部を構成する端縁から、内方向２２に向かってフック部２ｃを起立させる。また、弾性材料からなるコネクタカバー３に、平板部３ａ、起立部３ｂ及び引掛部３ｃを設け、引掛部３ｃに貫通孔３ｄを形成する。そして、コネクタカバー３を引き出したときに、貫通孔３ｄにフック部２ｃが挿通されるようにする。【選択図】  図２
2006164857.tif 000002
【特許請求の範囲】
【請求項１】
開口部が形成された筐体と、この筐体内に設けられ前記開口部を介して外部からプラグが接続されるコネクタと、前記筐体に取り付けられ前記コネクタに前記プラグが接続されないときは前記開口部を覆い前記コネクタに前記プラグが接続されるときは前記開口部を露出させるコネクタカバーと、を有し、前記筐体は、相互に連結されその境界部分に前記開口部が形成される第１の部分及び第２の部分を有し、前記第１の部分は、その内面から前記開口部を前記筐体の外側から内側に向かう第１の方向に起立したフック部を有し、前記コネクタカバーは、前記コネクタに前記プラグが接続されないときに前記開口部を覆う平板部と、この平板部から起立し前記開口部を挿通して前記筐体の内部まで延び折曲可能な起立部と、この起立部の先端に連結され前記第１の方向に貫通する貫通孔が形成された引掛部と、を有し、前記コネクタカバーは前記起立部を前記開口部に挿通させた状態で前記第１の方向に沿って移動可能となっており、前記コネクタカバーをその移動域における前記第１の方向と反対の方向側の端に位置させたときに、前記フック部が前記貫通孔に挿通されるようになっていることを特徴とする電子機器。
【請求項２】
前記コネクタカバーが弾性材料により形成されていることを特徴とする請求項１に記載の電子機器。
【請求項３】
前記フック部が前記開口部を構成する辺縁のうち前記第１の部分から前記第２の部分に向かう方向に直交する方向に延びる辺縁に設けられていることを特徴とする請求項１又は２に記載の電子機器。
【請求項４】
前記フック部が前記開口部を構成する辺縁のうち前記第１の部分から前記第２の部分に向かう方向に延びる辺縁に設けられていることを特徴とする請求項１又は２に記載の電子機器。
【請求項５】
開口部が形成された筐体、この筐体内に設けられ前記開口部を介して外部からプラグが接続されるコネクタ、及び前記筐体に取り付けられ前記コネクタに前記プラグが接続されないときは前記開口部を覆い前記コネクタに前記プラグが接続されるときは前記開口部を露出させるコネクタカバーを備え、前記筐体は、相互に連結されその境界部分に前記開口部が形成される第１の部分及び第２の部分を備えた電子機器の製造方法において、前記第１の部分には、その内面から前記開口部を前記筐体の外側から内側に向かう第１の方向に起立したフック部を備えたものを使用し、前記コネクタカバーには、前記コネクタに前記プラグが接続されないときに前記開口部を覆う平板部、この平板部から起立し前記開口部を挿通して前記筐体の内部まで延び折曲可能な起立部、及びこの起立部の先端に連結され前記第１の方向に貫通する貫通孔が形成された引掛部を備えたものを使用し、前記フック部を前記貫通孔に挿通させて前記コネクタカバーを前記第１の部分に係合させて、前記平板部を前記第１の部分の外部に位置させ、前記引掛部を前記第１の部分の内部に位置させる工程と、前記第２の部分の内部に前記コネクタを固定する工程と、前記第２の部分をその開口面を上方に向けて載置し、前記第１の部分の開口面を下方に向けて前記第２の部分に連結させる工程と、を有することを特徴とする電子機器の製造方法。
【発明の詳細な説明】
【技術分野】
【０００１】
本発明は、筐体内にコネクタを備え、筐体に形成された開口部を介して、このコネクタに外部からプラグが接続される電子機器及びその製造方法に関し、特に、筐体が２以上の部分から構成されており、プラグが接続されないときには前記開口部を覆ってコネクタを保護し、プラグが接続されるときには前記コネクタを露出させるコネクタカバーを備えた電子機器及びその製造方法に関する。
【背景技術】
【０００２】
従来より、多くの電子機器にはコネクタが設けられている。このようなコネクタは、電子機器の筐体に形成された開口部を介して外部からプラグが接続されるようになっており、このプラグを介して外部との間で信号の入出力等が行われるようになっている。そして、この筐体には、コネクタにプラグが接続されるときにはコネクタの端子接続口を露出させ、プラグが接続されないときには前記開口部を覆ってコネクタの端子接続口を保護するコネクタカバーが取り付けられている（例えば、特許文献１参照。）。
【０００３】
図１０及び図１１は、従来の電子機器における筐体の開口部周辺を示す分解斜視図である。図１０及び図１１は相互に反対の方向から見た図である。また、図１２はこの従来の電子機器の使用方法を示す断面図であり、図１３はこの従来の電子機器の製造方法を示す斜視図である。図１０乃至図１３に示す電子機器は例えば携帯電話である。そして、図１０乃至図１２に示すように、電子機器の筐体１７は上部筐体１及び下部筐体１２が相互に連結されて構成されている。上部筐体１の下面及び下部筐体１２の上面は開口面となっており、上部筐体１及び下部筐体１２は、この開口面同士が対向するように配置されている。
【０００４】
また、上部筐体１の開口面（下面）に接する面には矩形の切込１ａが形成されており、下部筐体１２の開口面（上面）に接する面には矩形の切込１２ａが形成されている。そして、上部筐体１と下部筐体１２とが相互に連結されることにより、切込１ａ及び切込１２ａが相互に結合され、１つの矩形状の開口部８を形成するようになっている。更に、筐体１７の内部には基板４が収納されており、ネジ止め等により上部筐体１に固定されている。また、基板４の端部における下側、即ち下部筐体１２側の面にはコネクタ５が固定されている。コネクタ５は端子接続口５ａを備え、この端子接続口５ａに開口部８を介して外部から接続プラグ６が接続されるようになっている。
【０００５】
更にまた、筐体１７にはコネクタカバー１３が取り付けられている。一般に、コネクタカバー１３はゴム又はエラストマー等の弾性材料により形成されており、可とう性を備えている。コネクタカバー１３は、平板部１３ａと、この平板部１３ａからこの平板部１３ａの表面に垂直な方向に起立した２本のフック部１３ｂとから構成されている。平板部１３ａにおけるその表面に垂直な方向から見た形状は、筐体１７の開口部８と同じ形状及び同じ大きさの矩形である。また、フック部１３ｂは、四角柱形状の柱部１３ｃと、この柱部１３ｃの先端に形成された先端部１３ｄとから構成されている。先端部１３ｄの太さは柱部１３ｃよりも太くなっており、フック部１３ｂは全体として鉤状の形状となっている。
【０００６】
下部筐体１２の内部には、切込１２ａの下部を塞ぐように、板状の突起部１２ｂが設けられている。突起部１２ｂには２つの貫通孔１２ｃが形成されている。貫通孔１２ｃの間隔は２本のフック部１３ｂの間隔と等しく、突起部１２ｂの表面に垂直な方向から見た貫通孔１２ｃの形状は、フック部１３ｂの柱部１３ｃと同じか又はやや大きく、先端部１３ｄよりは小さい矩形となっている。そして、フック部１３ｂの柱部１３ｃは貫通孔１２ｃを挿通しており、先端部１３ｄにより突起部１２ｂに係合している。
【０００７】
また、上部筐体１の内側には突起部１ｂが設けられており、この突起部１ｂが基板４を押圧し、下部筐体１２の突起部１２ｂがコネクタ５を押圧するようになっている。これにより、基板４及びコネクタ５の結合体を、突起部１ｂ及び突起部１２ｂにより挟圧し、接続プラグ６をコネクタ５の端子接続口５ａに挿入したときの「こじり」に対する強度を確保するようになっている。
【０００８】
次に、この従来の電子機器の使用方法について説明する。接続プラグ６をコネクタ５に接続しないときには、コネクタカバー１３の平板部１３ａを開口部８に嵌合させ、フック部１３ｂを筐体１７の内部に収納することにより開口部８を塞ぎ、コネクタ５の端子接続口５ａを保護する。一方、図１２に示すように、接続プラグ６をコネクタ５の端子接続口５ａに接続するときには、コネクタカバー１３を先端部１３ｄが突起部１２ｂに引っ掛かる状態まで引き出し、フック部１３ｂの柱部１３ｃの一部（ヒンジ部）を折り曲げる。上述の如く、コネクタカバー１３は弾性材料により形成されているため、外部から力を加えることにより、柱部１３ｃの一部を折り曲げることができる。これにより、筐体１７の開口部８においてコネクタ５の端子接続口５ａを露出させる。この状態で、端子接続口５ａに接続プラグ６を差し込み、接続する。これにより、電子機器に接続プラグ６を介して信号の入出力等を行う。
【０００９】
次に、この従来の電子機器の組立方法について説明する。図１３に示すように、上部筐体１の内部に基板４及びコネクタ５を収納し、基板４を上部筐体１に対してネジ止めにより固定した後、上部筐体１と下部筐体１２とをネジ止め等の方法により相互に連結させ、筐体１７を作製する。このとき、上部筐体１の切込１ａと下部筐体１２の切込１２ａとが結合して開口部８が形成される。次に、コネクタカバー１３のフック部１３ｂを下部筐体１２の突起部１２ｂの貫通孔１２ｃ内に圧入する。これにより、フック部１３ｂが貫通孔１２ｃ内を挿入され、柱部１３ｃが貫通孔１２ｃ内を挿通した状態で、フック部１３ｂの先端部１３ｄが突起部１２ｂに係合する。この結果、コネクタカバー１３が筐体１７に対して取り付けられる。
【００１０】
【特許文献１】特開２００１−１１８６２７号公報
【発明の開示】
【発明が解決しようとする課題】
【００１１】
しかしながら、上述の従来の技術には以下に示すような問題点がある。即ち、上述の従来の電子機器においては、上部状態１と下部筐体１２とを相互に連結し、筐体１７を組み立てた後、コネクタカバー１３のフック部１３ｂを突起部１２ｂの貫通孔１２ｃ内に押し込むことにより、コネクタカバー１３を筐体１７に取り付けている。このため、コネクタカバー１３のフック部１３ｂは、組立時には貫通孔１２ｃに対して圧入可能であり、且つ、組立後には貫通孔１２ｃから容易に抜けることがなく、十分な耐引抜強度を示すものでなくてはならない。
【００１２】
上述の如く、コネクタカバー１３は弾性材料により形成されている。この弾性材料を硬くすると、コネクタカバー１３の耐引抜強度は十分に確保されるものの、フック部１３ｂを貫通孔１２ｃに対して圧入することが困難になり、従って、電子機器の組立が困難になる。一方、コネクタカバー１３を形成する弾性材料を軟らかくすると、貫通孔１２ｃに対して圧入することは容易になるが、コネクタカバー１３の耐引抜強度が低下し、ユーザーが力を入れてコネクタカバー１３を引っ張ったときに、コネクタカバー１３が抜けてしまう可能性がある。このように、従来、電子機器の組立性及び耐引抜強度は、相反する特性であり、これらを良好な状態で両立させることが困難であった。
【００１３】
本発明はかかる問題点に鑑みてなされたものであって、良好な組立性及び良好な耐引抜強度を両立できる電子機器及びその製造方法を提供することを目的とする。
【課題を解決するための手段】
【００１４】
本発明に係る電子機器は、開口部が形成された筐体と、この筐体内に設けられ前記開口部を介して外部からプラグが接続されるコネクタと、前記筐体に取り付けられ前記コネクタに前記プラグが接続されないときは前記開口部を覆い前記コネクタに前記プラグが接続されるときは前記開口部を露出させるコネクタカバーと、を有し、前記筐体は、相互に連結されその境界部分に前記開口部が形成される第１の部分及び第２の部分を有し、前記第１の部分は、その内面から前記開口部を前記筐体の外側から内側に向かう第１の方向に起立したフック部を有し、前記コネクタカバーは、前記コネクタに前記プラグが接続されないときに前記開口部を覆う平板部と、この平板部から起立し前記開口部を挿通して前記筐体の内部まで延び折曲可能な起立部と、この起立部の先端に連結され前記第１の方向に貫通する貫通孔が形成された引掛部と、を有し、前記コネクタカバーは前記起立部を前記開口部に挿通させた状態で前記第１の方向に沿って移動可能となっており、前記コネクタカバーをその移動域における前記第１の方向と反対の方向側の端に位置させたときに、前記フック部が前記貫通孔に挿通されるようになっていることを特徴とする。
【００１５】
本発明においては、コネクタにプラグが接続されないときは、コネクタの平板部が開口部を覆ってコネクタを保護し、コネクタにプラグが接続されるときは、コネクタカバーをその移動域における前記第１の方向と反対の方向側の端に位置させ、起立部を折曲させることにより、開口部を露出させる。このとき、フック部が貫通孔に挿通され、引掛部が第１の部分に接触して、コネクタカバーにおける前記反対の方向に向かうそれ以上の移動を規制する。このため、コネクタカバーの耐引抜強度が高い。また、この電子機器の製造時には、第１の部分を第２の部分に連結する前に、第１の部分のフック部をコネクタカバーの貫通孔に挿通させることにより、コネクタカバーを第１の部分に仮固定できるため、組立性が良好である。
【００１６】
また、前記コネクタカバーが弾性材料により形成されていることが好ましい。これにより、特別な機構を設けることなく、起立部を折曲可能とすることができる。
【００１７】
更に、前記フック部が前記開口部を構成する辺縁のうち前記第１の部分から前記第２の部分に向かう方向に直交する方向に延びる辺縁に設けられていてもよい。
【００１８】
又は、前記フック部が前記開口部を構成する辺縁のうち前記第１の部分から前記第２の部分に向かう方向に延びる辺縁に設けられていてもよい。これにより、筐体における第１の部分から第２の部分に向かう方向の長さを短くすることができ、筐体を薄くすることができる。
【００１９】
本発明に係る電子機器の製造方法は、開口部が形成された筐体、この筐体内に設けられ前記開口部を介して外部からプラグが接続されるコネクタ、及び前記筐体に取り付けられ前記コネクタに前記プラグが接続されないときは前記開口部を覆い前記コネクタに前記プラグが接続されるときは前記開口部を露出させるコネクタカバーを備え、前記筐体は、相互に連結されその境界部分に前記開口部が形成される第１の部分及び第２の部分を備えた電子機器の製造方法において、前記第１の部分には、その内面から前記開口部を前記筐体の外側から内側に向かう第１の方向に起立したフック部を備えたものを使用し、前記コネクタカバーには、前記コネクタに前記プラグが接続されないときに前記開口部を覆う平板部、この平板部から起立し前記開口部を挿通して前記筐体の内部まで延び折曲可能な起立部、及びこの起立部の先端に連結され前記第１の方向に貫通する貫通孔が形成された引掛部を備えたものを使用し、前記フック部を前記貫通孔に挿通させて前記コネクタカバーを前記第１の部分に係合させて、前記平板部を前記第１の部分の外部に位置させ、前記引掛部を前記第１の部分の内部に位置させる工程と、前記第２の部分の内部に前記コネクタを固定する工程と、前記第２の部分をその開口面を上方に向けて載置し、前記第１の部分の開口面を下方に向けて前記第２の部分に連結させる工程と、を有することを特徴とする。
【００２０】
本発明においては、フック部を貫通孔に挿通させてコネクタカバーを第１の部分に係合させることにより、フック部が起立する方向以外の方向に向かうコネクタカバーの移動が規制される。このため、第１の部分の開口面を下方に向けて第２の部分に連結させる工程において、コネクタカバーが第１の部分から落下することがない。これにより、第１の部分を第２の部分に連結する前に、コネクタカバーを第１の部分に仮固定できるため、筐体を組み立てた後にコネクタカバーを筐体に圧入する必要がなく、組立性が良好である。
【発明の効果】
【００２１】
本発明の電子機器は、コネクタカバーを筐体から引抜いたときに、フック部が貫通孔に挿通され、引掛部が第１の部分に接触してコネクタカバーのそれ以上の引き抜き方向への移動を規制するため、コネクタカバーの耐引抜強度が高い。また、この電子機器の製造時には、第１の部分を第２の部分に連結する前に、第１の部分のフック部をコネクタカバーの貫通孔に挿通させることにより、コネクタカバーを第１の部分に仮固定できるため、組立性が良好である。
【発明を実施するための最良の形態】
【００２２】
以下、本発明の実施形態について添付の図面を参照して具体的に説明する。先ず、本発明の第１の実施形態について説明する。図１及び図２は、本実施形態に係る電子機器における筐体の開口部周辺を示す分解斜視図である。図１及び図２は相互に反対の方向から見た図である。また、図３及び図４はこの電子機器の使用方法を示す断面図であり、図３はコネクタカバーによりコネクタの端子接続口を覆っている状態を示し、図４はコネクタの端子接続口を露出させた状態を示す。なお、本実施形態における構成要素のうち、前述の従来の電子機器における構成要素と同じ構成要素には同じ符号を付している。
【００２３】
本実施形態に係る電子機器は例えば携帯電話である。以下、図１乃至３を参照して本実施形態に係る電子機器の構成について説明するが、端子接続口に接続プラグが接続されておらず、端子接続口がコネクタカバーにより覆われている状態を基準として説明する。本実施形態に係る電子機器の筐体７は、上部筐体１と下部筐体２とが相互に連結されて構成されている。以下、下部筐体２から上部筐体１に向かう方向を上方向２１といい、その反対の方向を下方向という。上部筐体１の下面及び下部筐体２の上面は開口面となっており、上部筐体１及び下部筐体２は、この開口面同士が対向するように配置されている。上部筐体１及び下部筐体２は、例えば、各種のプラスチック又は金属若しくは合金からなる成型品である。
【００２４】
また、上部筐体１の開口面（下面）に接する面には矩形の切込１ａが形成されており、下部筐体２の開口面（上面）に接する面には矩形の切込２ａが形成されている。そして、上部筐体１と下部筐体２とが相互に連結されることにより、切込１ａ及び切込２ａが相互に結合され、１つの矩形状の開口部８を形成するようになっている。以下、開口部８において、筐体７の外部から筐体７の内部に向かう方向を内方向２２といい、その反対の方向を外方向という。なお、内方向２２は上方向２１に対して直交している。また、上方向２１及び内方向２２の双方に直交する２つの方向を側方向という。
【００２５】
更に、筐体７の内部には基板４が収納されており、ネジ止め等により上部筐体１に固定されている。また、基板４の外方向側の端部における下面、即ち、下部筐体２側の面にはコネクタ５が固定されている。コネクタ５の外方向側の面には端子接続口５ａが設けられている。この端子接続口５ａは、開口部８を介して、外部から接続プラグ６が内方向２２に沿って挿入されるものである。なお、筐体７内には、コネクタ５以外の部品も収納されているが、図１乃至図４においては、図示を省略している。
【００２６】
更にまた、下部筐体２の内部には、切込２ａの下部の両側部を塞ぐように、２枚の板状の突起部２ｂが設けられている。また、下部筐体２における切込２ａの下端部を構成する端縁の中央部には、この端縁から内方向２２に向かってフック部２ｃが起立している。フック部２ｃの形状は直方体状である。突起部２ｂ及びフック部２ｃは、例えば下部筐体２の本体と一体的に成形されている。
【００２７】
更にまた、筐体７にはコネクタカバー３が取り付けられている。コネクタカバー３はゴム又はエラストマー等の弾性材料により形成されており、可とう性を備えている。コネクタカバー３においては、平板部３ａが設けられている。平板部３ａは、その表面が内方向２２に垂直になるように配置されている。平板部３ａにおける内方向２２から見た形状は、筐体７の開口部８と同じ形状及び大きさの矩形である。また、コネクタカバー３には、平板部３ａの表面における下部筐体２側の長辺（下辺）の中央部から、内方向２２に起立した１本の起立部３ｂが設けられている。起立部３ｂは開口部８を挿通し、下部筐体２の突起部２ｂ間を通過している。また、起立部３ｂは弾性材料により形成されているため、内方向２２に交差する方向に折曲可能となっている。
【００２８】
更に、コネクタカバー３には、起立部３ｂの先端に連結され、下方向に延びる引掛部３ｃが設けられている。引掛部３ｃには１つの貫通孔３ｄが形成されている。外方向から見て、貫通孔３ｄの形状は矩形であり、その大きさはフック部２ｃの形状と同じか又はやや大きい。貫通孔３ｄの貫通方向は内方向２２に平行である。
【００２９】
更にまた、内方向２２から見て、起立部３ｂは平板部３ａ内に位置しており、引掛部３ｃは平板部３ａから下方向に延出している。平板部３ａ、起立部３ｂ及び引掛部３ｃは、例えば前述の弾性材料により一体的に成形されているが、相互に独立して成形されたものが連結されていてもよい。また、コネクタカバー３は、起立部３ｂが開口部８を挿通している状態で、内方向２２及び外方向に沿って移動可能となっている。
【００３０】
更にまた、上部筐体１の上面の内側には、下方向に突出する突起部１ｂが設けられており、この突起部１ｂが基板４を押圧し、下部筐体２の突起部２ｂがコネクタ５を押圧するようになっている。これにより、基板４及びコネクタ５の結合体を、突起部１ｂ及び突起部２ｂにより挟圧し、接続プラグ６をコネクタ５の端子接続口５ａに挿入したときの「こじり」に対する強度を確保するようになっている。
【００３１】
次に、上述の如く構成された本実施形態に係る電子機器の動作について説明する。図３に示すように、接続プラグをコネクタ５の端子接続口５ａに挿入しないときは、コネクタカバー３の平板部３ａを開口部８に嵌合させる。これにより、平板部３ａにより開口部８を覆い、コネクタ５の端子接続口５ａを保護する。このとき、起立部３ｂ及び引掛部３ｃは筐体７の内部に収納されており、フック部２ｃはコネクタカバー３の貫通孔３ｄから外れている。
【００３２】
一方、図４に示すように、接続プラグ６をコネクタ５の端子接続口５ａに接続するときには、コネクタカバー３を筐体７から外方向に引き出す。このとき、引掛部３ｃの貫通孔３ｄに下部筐体２のフック部２ｃが挿通して引っ掛かり、コネクタカバー３を更に引き出すと、引掛部３ｃが下部筐体２に接触することで、コネクタカバー３が下部筐体２により係止される。これにより、コネクタカバー３がその移動域における外方向側の端に達する。このとき、コネクタカバー３は、下部筐体２に対して、内方向２２には移動可能であるが、外方向への移動は規制されており、上方向２１及び下方向並びに側方向への移動も規制されている。
【００３３】
この状態でコネクタカバー３を下方向に折り曲げる。上述の如く、コネクタカバー３は弾性材料により形成されているため、外部から力を加えることにより、起立部３ｂの一部（ヒンジ部）を折り曲げることができる。これにより、筐体７の開口部８においてコネクタ５の端子接続口５ａを露出させる。この状態で、端子接続口５ａに接続プラグ６を内方向２２に沿って差し込み、接続プラグ６をコネクタ５に接続する。これにより、外部機器（図示せず）と電子機器との間で、接続プラグ６を介して信号の入出力等を行うことができる。
【００３４】
次に、本実施形態の効果について説明する。本実施形態においては、コネクタカバー３を筐体７から引き出したときに、コネクタカバー３の貫通孔３ｄに下部筐体２のフック部２ｃが挿通され、引掛部３ｃが下部筐体２に接触することにより、コネクタカバー３が下部筐体２により係止され、コネクタカバー３のそれ以上の外方向への移動が規制される。このため、コネクタカバー３の耐引抜強度が十分に確保される。従って、ユーザーがコネクタカバー３を無理に引っ張ったとしても、引掛部３ｃがフック部２ｃにしっかりと引っ掛かるため、簡単には抜けないようになっている。
【００３５】
次に、本発明の第２の実施形態について説明する。本実施形態は前述の第１の実施形態に係る電子機器の製造方法の実施形態である。図５は本実施形態に係る電子機器の製造方法を示す斜視図である。図５に示すように、本実施形態においては上部筐体１を基準にして組立作業を行うため、先ず、作業台（図示せず）に上部筐体１をその開口面を上方に向けて載置する。
【００３６】
そして、上部筐体１内に、基板４及びコネクタ５並びにその他の部品（図示せず）を収納し、ネジ止め等の手段により上部筐体１に対して固定する。このとき、コネクタ５の端子接続口５ａが上部筐体１の切込１ａに対向するように、基板４及びコネクタ５を配置する。次に、コネクタカバー３の貫通孔３ｄに下部筐体２のフック部２ｃを挿入させ、コネクタカバー３をフック部２ｃに引っ掛ける。このとき、コネクタカバー３の引掛部３ｃは下部筐体２内に位置し、起立部３ｂは切込２ａを横切り、平板部３ａは下部筐体２の外部に位置するようにする。これにより、コネクタカバー３を下部筐体２に仮固定する。
【００３７】
この状態で、下部筐体２をその開口面を下方に向けて、上部筐体１と組み合わせる。このとき、コネクタカバー３はフック部２ｃに引っ掛けられており、フック部２ｃが起立する方向以外の方向への移動を規制されているため、下部筐体２の開口面を下方に向けても、コネクタカバー３が落下することはない。また、上部筐体１はその開口面を上方に向けた状態で載置されている。そして、下部筐体２を上部筐体１にネジ止め等により連結し、筐体７を作製する。これにより、前述の第１の実施形態に係る電子機器が製造される。
【００３８】
次に、本実施形態の効果について説明する。本実施形態においては、コネクタカバー３の貫通孔３ｄに下部筐体２のフック部２ｃを挿入することにより、下部筐体２にコネクタカバー３を仮固定した状態で、下部筐体２を上部筐体１に連結している。このため、筐体７の組立後にコネクタカバー３を圧入する必要がなく、筐体７の組立が容易である。また、筐体７の組立後に、コネクタカバー３を筐体７から引き出そうとすると、コネクタカバー３の貫通孔３ｄに下部筐体２のフック部２ｃが挿通され、引掛部３ｃが下部筐体２に接触することにより、コネクタカバー３が下部筐体２により係止され、コネクタカバー３のそれ以上の外方向への移動が規制される。このため、コネクタカバー３の耐引抜強度が十分に確保される。このように、本実施形態によれば、筐体の組立性及びコネクタカバーの耐引抜強度の双方を向上させることができる。
【００３９】
次に、本発明の第３の実施形態について説明する。図６及び図７は、本実施形態に係る電子機器における筐体の開口部周辺を示す分解斜視図である。図６及び図７は相互に反対の方向から見た図である。また、図８はこの電子機器の使用方法を示す上方向から見た断面図であり、コネクタの端子接続口を露出させた状態を示す。図６乃至図８に示すように、本実施形態は、前述の第１の実施形態と比較して、コネクタカバーの構成及び下部筐体におけるフック部が設けられている位置が異なっている。本実施形態における上記以外の構成は、前述の第１の実施形態と同様である。
【００４０】
図６乃至図８に示すように、下部筐体２の内部には、前述の第１の実施形態と同様に、切込２ａの下部の両側を塞ぐように、２枚の板状の突起部２ｂが設けられている。また、下部筐体２における切込２ａの一方の側端部を構成する端縁には、この端縁から内方向２２に向かって１個のフック部２ｃが起立している。即ち、前述の第１の実施形態においては、フック部２ｃは開口部８の下辺部から起立していたが、本実施形態においては、開口部８の側辺部から起立している。フック部２ｃの形状は直方体状である。
【００４１】
また、筐体７にはコネクタカバー９が取り付けられている。コネクタカバー９においては、平板部９ａが設けられている。平板部９ａは、その表面が内方向２２に垂直になるように配置されている。平板部９ａにおける内方向２２から見た形状は、筐体７の開口部８と同じ形状及び大きさの矩形状である。また、コネクタカバー９には、平板部９ａの表面における上方向２１に沿って延びる一方の短辺（側辺）の全体から、内方向２２に起立した１本の起立部９ｂが設けられている。
【００４２】
更に、コネクタカバー９には、起立部９ｂの先端に連結され、側方向のうちの一方に延びる引掛部９ｃが設けられている。引掛部９ｃには１つの貫通孔９ｄが形成されている。外方向から見て、貫通孔９ｄの形状は矩形であり、その大きさはフック部２ｃの形状と同じか又はやや大きい。また、貫通孔９ｄの貫通方向は内方向２２と平行である。更にまた、内方向２２から見て、起立部９ｂは平板部９ａ内に位置しており、引掛部９ｃは平板部９ａから側方向に延出している。更に、前述の第１の実施形態と同様に、コネクタカバー９はゴム又はエラストマー等の弾性材料により形成されている。
【００４３】
本実施形態の動作は、前述の第１の実施形態と同様である。即ち、接続プラグ６をコネクタ５の端子接続口５ａに挿入しないときは、コネクタカバー９の平板部９ａを開口部８に嵌合させ、開口部８を覆う。このとき、起立部９ｂ及び引掛部９ｃは筐体７の内部に収納され、フック部２ｃはコネクタカバー９の貫通孔９ｄから外れている。
【００４４】
一方、図８に示すように、接続プラグ６をコネクタ５の端子接続口５ａに接続するときには、コネクタカバー９を筐体７から外方向に引き出す。このとき、引掛部９ｃの貫通孔９ｄに下部筐体２のフック部２ｃが挿通され、コネクタカバー９を更に引き出すと、引掛部９ｃが下部筐体２に接触して係止される。このとき、コネクタカバー９は、下部筐体２に対して、内方向２２には移動可能であるが、外方向への移動は規制されており、上下方向及び側方向への移動も規制されている。
【００４５】
この状態でコネクタカバー９の起立部９ｂを側方向に折り曲げる。これにより、筐体７の開口部８においてコネクタ５の端子接続口５ａを露出させる。そして、端子接続口５ａに接続プラグ６を内方向２２に沿って差し込み、接続プラグ６をコネクタ５に接続する。これにより、外部機器（図示せず）と電子機器との間で、接続プラグ６を介して信号の入出力等を行うことができる。
【００４６】
本実施形態においては、下部筐体２のフック部２ｃがコネクタ５の側方に配置されているため、前述の第１の実施形態と比較して、電子機器の筐体７を薄くすることができる。この効果は、電子機器が例えば携帯電話等の携帯端末である場合には、特に重要である。本実施形態における上記以外の効果は、前述の第１の実施形態と同様である。
【００４７】
次に、本発明の第４の実施形態について説明する。本実施形態は前述の第３の実施形態に係る電子機器の製造方法の実施形態である。図９は本実施形態に係る電子機器の製造方法を示す斜視図である。本実施形態に係る電子機器の製造方法は、前述の第２の実施形態と同様である。即ち、図９に示すように、作業台（図示せず）に上部筐体１をその開口面を上方に向けて載置し、上部筐体１内に、基板４及びコネクタ５等を収納して固定する。次に、コネクタカバー９の貫通孔９ｄに下部筐体２のフック部２ｃを挿入させ、コネクタカバー９をフック部２ｃに引っ掛けて仮固定する。
【００４８】
そして、下部筐体２をその開口面を下方に向けて、上部筐体１と組み合わせる。このとき、コネクタカバー９はフック部２ｃに係合しており、フック部２ｃが起立する方向以外の方向への移動を規制されているため、下部筐体２の開口面を下方に向けても、コネクタカバー９が落下することはない。そして、下部筐体２を上部筐体１にネジ止め等により連結し、筐体７を作製する。これにより、前述の第３の実施形態に係る電子機器が製造される。本実施形態における上記以外の構成及び効果は、前述の第２の実施形態と同様である。
【００４９】
なお、前述の各実施形態においては、コネクタカバーの貫通孔及びこの貫通孔に挿通されるフック部を１組だけ設ける例を示したが、本発明はこれに限定されず、貫通孔及びフック部を２組以上設けてもよい。また、前述の各実施形態においては、フック部２ｃを下部筐体２における切込２ａの辺縁部から起立させる例を示したが、本発明はこれに限定されず、例えば、下部筐体２の下面に、一旦上方向に起立した後内方向に延出するＬ字形状のフック部を設けてもよい。更に、前述の各実施形態においては、コネクタカバーを弾性材料により形成する例を示したが、本発明はこれに限定されない。但し、コネクタカバーを非弾性材料により形成する場合は、起立部を折曲可能とするために、例えば機械的な機構を設ける必要がある。
【産業上の利用可能性】
【００５０】
本発明は、筐体内にコネクタを備え、筐体に形成された開口部を介して、このコネクタに外部からプラグが接続される電子機器、特に携帯電話等の携帯端末に好適に利用することができる。
【図面の簡単な説明】
【００５１】
【図１】本発明の第１の実施形態に係る電子機器における筐体の開口部周辺を示す分解斜視図である。
【図２】本実施形態に係る電子機器における筐体の開口部周辺を示す分解斜視図であり、図１とは反対の方向から見た図である。
【図３】この電子機器の使用方法を示す断面図であり、コネクタカバーによりコネクタの端子接続口を覆っている状態を示す。
【図４】この電子機器の使用方法を示す断面図であり、コネクタの端子接続口を露出させた状態を示す。
【図５】本発明の第２の実施形態に係る電子機器の製造方法を示す斜視図である。
【図６】本発明の第２の実施形態に係る電子機器における筐体の開口部周辺を示す分解斜視図である。
【図７】本実施形態に係る電子機器における筐体の開口部周辺を示す分解斜視図であり、図６とは反対の方向から見た図である。
【図８】この電子機器の使用方法を示す上方向から見た断面図であり、コネクタの端子接続口を露出させた状態を示す。
【図９】本発明の第４の実施形態に係る電子機器の製造方法を示す斜視図である。
【図１０】従来の電子機器における筐体の開口部周辺を示す分解斜視図である。
【図１１】従来の電子機器における筐体の開口部周辺を示す分解斜視図であり、図１０とは反対の方向から見た図である。
【図１２】この従来の電子機器の使用方法を示す断面図である。
【図１３】この従来の電子機器の製造方法を示す斜視図である。
【符号の説明】
【００５２】
１；上部筐体
１ａ；切込
１ｂ；突起部
２；下部筐体
２ａ；切込
２ｂ；突起部
２ｃ；フック部
３；コネクタカバー
３ａ；平板部
３ｂ；起立部
３ｃ；引掛部
３ｄ；貫通孔
４；基板
５；コネクタ
５ａ；端子接続口
６；接続プラグ
７；筐体
８；開口部
９；コネクタカバー
９ａ；平板部
９ｂ；起立部
９ｃ；引掛部
９ｄ；貫通孔
１２；下部筐体
１２ａ；切込
１２ｂ；突起部
１２ｃ；貫通孔
１３；コネクタカバー
１３ａ；平板部
１３ｂ；フック部
１３ｃ；柱部
１３ｄ；先端部
１７；筐体
２１；上方向
２２；内方向
【図１】
2006164857.tif 000003
【図２】
2006164857.tif 000004
【図３】
2006164857.tif 000005
【図４】
2006164857.tif 000006
【図５】
2006164857.tif 000007
【図６】
2006164857.tif 000008
【図７】
2006164857.tif 000009
【図８】
2006164857.tif 000010
【図９】
2006164857.tif 000011
【図１０】
2006164857.tif 000012
【図１１】
2006164857.tif 000013
【図１２】
2006164857.tif 000014
【図１３】
2006164857.tif 000015